(57)【特許請求の範囲】
【請求項１】
傾斜する面を箱形態の一部として備える個包装箱を収納するための外装箱であって、
該外装箱は、前面板、底面板、後面板、連結板、上面板および前面被着片が連結された帯状の胴部と、
帯状の胴部を組み立てた際に側方に位置する一方の側部蓋を形成するための一対の側部蓋用内フラップおよび側部蓋用外フラップ、ならびに他方の側部蓋を形成するための一対の側部蓋用内フラップおよび側部蓋用外フラップとを備え、
前記連結板は、傾斜面を形成するように構成されており、
前記前面板は、当該前面板の上端部から底面板と連結される下端部の位置に至るまで引裂き可能な前面開口片が形成されるようになっており、引き裂き後の前面開口片は、前面板と底面板との接合線を基線として、揺動できるとともに開閉可能になっており、
前記前面被着片は、前記前面板の上部を覆うように形成されており、
前記上面板は、前面被着片の一部である引き裂き開始片に連接され、上面板の前部端部から上面板の後部の両サイドに至るまで引き裂き可能な上面開口片が形成されるようになっており、
前記傾斜面を形成している連結板の両サイドは、切断端となっており、上面開口片を上面板の後部の両サイドに至るまで引き裂くと、引き裂かれた上面開口片と連結板との一体化物が、連結板と後面板との接合線を基線として、揺動できるとともに開閉可能になっていることを特徴とする外装箱。
【請求項２】
前記引き裂き後の前面開口片は、開口した状態で底面板と同じ高さレベルとなるように敷設されることが可能である請求項１に記載の外装箱。
【請求項３】
前記前面開口片の大きさは、個包装箱を引き摺り出すに十分な開口部を形成できる大きさとされる請求項１または請求項２に記載の外装箱。
【請求項４】
前記前面開口片は、前面板の中央部に形成される請求項１ないし請求項３のいずれかに記載の外装箱。
【請求項５】
前記一対の側部蓋用内フラップは、前記前面板の両サイドに連接される前面板連接内フラップと、前記後面板の両サイドに連接される後面板連接内フラップとから構成され、
後面板連接内フラップの奥側上端は、コーナーカットされており、当該コーナーカットの上端に、前記傾斜面を構成する連結板の両サイドが覆うように被せられ箱形成がなされる請求項１ないし請求項４のいずれかに記載の外装箱。
【請求項６】
前記引裂き可能な前面開口片は、引き裂き前、その形態がカット線で形取られる請求項１ないし請求項５のいずれかに記載の外装箱。
【請求項７】
前記引裂き可能な前面開口片は、一定の幅間隔を空けた高さ方向の上下に延びる２本のカット線で形取られる請求項６に記載の外装箱。
【請求項８】
前記引裂き可能な上面開口片は、引き裂き前、その形態がカット線で形取られる請求項１ないし請求項７のいずれかに記載の外装箱。
【請求項９】
前記引裂き可能な上面開口片の形態を形取るカット線は、前記引き裂き開始片の幅方向の両端部からそれぞれ、上面板と外フラップとの接合線へと向かって進み、当該接合線に到達した後には、当該接合線に沿って進むように形成される請求項８に記載の外装箱。
【請求項１０】
前記引裂き可能な上面開口片の形態を形取るカット線は、接合線に沿って進み、前記傾斜面を形成している連結板の両サイドの切断端に向かう請求項９に記載の外装箱。
【請求項１１】
前記前面被着片は、前記前面板の上部を幅方向に亘り覆うように形成されており、当該前面被着片の中央部分が引き裂き開始片として構成される請求項１ないし請求項１０のいずれかに記載の外装箱。
【請求項１２】
前記前面被着片の引き裂き開始片として構成される部分は、かっと線により区分されるとともに、引き裂きが容易となるように端部に切欠きが設けられる請求項１ないし請求項１１のいずれかに記載の外装箱。
【請求項１３】
請求項１ないし請求項１２のいずれかに記載の外装箱の中に、傾斜する面を箱形態の一部として備える個包装箱を複数個、収納した製品箱であり、
個包装箱の傾斜する面が外装箱の傾斜面に沿って収納されていることを特徴とする製品箱。
【請求項１４】
収納される個包装箱の長手方向が、外装箱の前面板から後面板に向かう方向と同一である請求項１３に記載の製品箱。
【請求項１５】
複数の個包装箱が、外装箱の一方の側部から他方の側部へと順次並べられた状態で収納される請求項１３または請求項１４に記載の製品箱。
【発明の詳細な説明】
【技術分野】
【０００１】
本発明は、直方体の箱形態の個包装箱、あるいは傾斜する面を箱形態の一部として備える個包装箱を収納するための外装箱に関し、特に、外装箱から個包装箱を取り出す際の、取り出し易さを向上させた外装箱構造に関する。
【背景技術】
【０００２】
ワイン等の飲料液体が封入された柔軟性のある包装袋であって、かつ注出口を備える包装袋を一次容器（内袋）とし、この一次容器（内袋）を収納して外形を保持するために備えられた外箱を合わせ持つ容器（「バッグインボックス」とも称される）からなる商品（例えば、フランジア：３Ｌタイプ）が、市場に存在している。
【０００３】
このような商品は、壜製品よりも安価であり、ボックスのまま冷蔵庫内にすっきりと収納することができ、また、注出口があるために注ぎ易く、必要な時に必要な量だけ注ぎ出すことや内袋機能性と合わせることで、開封後の鮮度を長期間にわたって保持することができるという優れたメリットがある。
【０００４】
本願に係る出願人らは、このようなメリットを最大限に生かせるように、従来より改善の要望が出されていたバッグ内の液体の注ぎ残しの問題を解決するために、傾斜する面を箱形態の一部として備える新規な箱体の提案を行っている（特願２００８−１５６３２１）。すなわち、バッグ内の液体の注ぎ残しが極力少なくなるように、正面板の底蓋側において傾斜面を形成させ、箱全体を正面側に傾斜させる操作を容易ならしめるよう構成された箱体の提案を行なっている。
【０００５】
このような傾斜面を備える箱体は、特殊な形態であり、一般的には、ワイン関連商品に限らず、直方体形態の箱体が市場に多く流通している。
【０００６】
このような傾斜面を備える箱体や、通常の一般的な直方体形態の箱体は、個包装箱として取り扱われ、通常、複数個の個包装箱を整列させ、外装箱の中に隙間無く詰め込んだ状態で出荷される。
【０００７】
それゆえ、開梱に際し、例えば、上蓋を開けてから、外装箱の中から個包装箱を持ち上げて取り出そうとすると、手（指）を入れるスペースは極めて少ない。それゆえ、無理して指を隙間に差し込んで取り出すと手が痛くなったり、あるいは、無理に個包装箱を≡もうとするせいか、個包装箱の端に傷がついたりしてしまうという不都合が生じていた。とにかく取り出し難いという問題があった。
【０００８】
また、傾斜面を備える個包装箱に関して言及すれば、箱の傾斜組立を補助するための機能部分が付加されているものもあり、この機能部分を無理に≡んで引き出した場合には、本来の機能部分が破損して使い物にならなくなるというおそれがある。
【先行技術文献】
【特許文献】
【０００９】
【特許文献１】特開平１１−１２２２号公報
【特許文献２】特開２００２−６８１７７号公報
【特許文献３】特開２００４−３５０８０号公報
【特許文献４】特開２００６−７６５８８号公報
【発明の概要】
【発明が解決しようとする課題】
【００１０】
このような実状のもとに、本発明は創案されたものであって、その目的は、個包装箱を収納するための外装箱において、外装箱から個包装箱を取り出す際の、取り出し易さを向上させた新規な外装箱の構造を提案することにある。
【課題を解決するための手段】
【００１１】
このような課題を解決するために本発明は、傾斜する面を箱形態の一部として備える個包装箱を収納するための外装箱であって、該外装箱は、前面板、底面板、後面板、連結板、上面板および前面被着片が連結された帯状の胴部と、帯状の胴部を組み立てた際に側方に位置する一方の側部蓋を形成するための一対の側部蓋用内フラップおよび側部蓋用外フラップ、ならびに他方の側部蓋を形成するための一対の側部蓋用内フラップおよび側部蓋用外フラップとを備え、前記連結板は、傾斜面を形成するように構成されており、前記前面板は、当該前面板の上端部から底面板と連結される下端部の位置に至るまで引裂き可能な前面開口片が形成されるようになっており、引き裂き後の前面開口片は、前面板と底面板との接合線を基線として、揺動できるとともに開閉可能になっており、前記前面被着片は、前記前面板の上部を覆うように形成されており、前記上面板は、前面被着片の一部である引き裂き開始片に連接され、上面板の前部端部から上面板の後部の両サイドに至るまで引き裂き可能な上面開口片が形成されるようになっており、前記傾斜面を形成している連結板の両サイドは、切断端となっており、上面開口片を上面板の後部の両サイドに至るまで引き裂くと、引き裂かれた上面開口片と連結板との一体化物が、連結板と後面板との接合線を基線として、揺動できるとともに開閉可能になっているように構成される。
【００１４】
本発明の外装箱の好ましい態様として、前記引き裂き後の前面開口片は、開口した状態で底面板と同じ高さレベルとなるように敷設されることが可能となるように構成される。
【００１５】
本発明の外装箱の好ましい態様として、前記前面開口片の大きさは、個包装箱を引き摺り出すに十分な開口部を形成できる大きさに構成される。
【００１６】
本発明の外装箱の好ましい態様として、前記前面開口片は、前面板の中央部に形成される。
【００１７】
本発明の外装箱の好ましい態様として、前記一対の側部蓋用内フラップは、前記前面板の両サイドに連接される前面板連接内フラップと、前記後面板の両サイドに連接される後面板連接内フラップとから構成され、後面板連接内フラップの奥側上端は、コーナーカットされており、当該コーナーカットの上端に、前記傾斜面を構成する連結板の両サイドが覆うように被せられ箱形成がなされるように構成される。
【００１８】
本発明の外装箱の好ましい態様として、前記一対の側部蓋用内フラップは、前記前面板の両サイドに連接される前面板連接内フラップと、前記後面板の両サイドに連接される後面板連接内フラップとから構成される。
【００１９】
本発明の外装箱の好ましい態様として、前記引裂き可能な前面開口片は、引き裂き前、その形態がカット線で形取られるように構成される。
【００２０】
本発明の外装箱の好ましい態様として、前記引裂き可能な前面開口片は、一定の幅間隔を空けた高さ方向の上下に延びる２本のカット線で形取られるように構成される。
【００２１】
本発明の外装箱の好ましい態様として、前記引裂き可能な上面開口片は、引き裂き前、その形態がカット線で形取られるように構成される。
【００２２】
本発明の外装箱の好ましい態様として、前記引裂き可能な上面開口片の形態を形取るカット線は、前記引き裂き開始片の幅方向の両端部からそれぞれ、上面板と外フラップとの接合線へと向かって進み、当該接合線に到達した後には、当該接合線に沿って進むように形成される。
【００２３】
本発明の外装箱の好ましい態様として、前記引裂き可能な上面開口片の形態を形取るカット線は、接合線に沿って進み、前記傾斜面を形成している連結板の両サイドの切断端に向かうように構成される。
【００２４】
本発明の外装箱の好ましい態様として、前記引裂き可能な上面開口片の形態を形取るカット線は、接合線に沿って進み、後面開口片を形取るカット線に連接されるように構成される。
【００２５】
本発明の外装箱の好ましい態様として、前記前面被着片は、前記前面板の上部を幅方向に亘り覆うように形成されており、当該前面被着片の中央部分が引き裂き開始片として構成される。
【００２６】
本発明の外装箱の好ましい態様として、前記前面被着片の引き裂き開始片として構成される部分は、カット線により区分されるとともに、引き裂きが容易となるように端部に切欠きが設けられるように構成される。
【００２７】
本発明の製品箱は、前記外装箱の中に、傾斜する面を箱形態の一部として備える個包装箱を複数個、収納した製品箱であり、個包装箱の傾斜する面が外装箱の傾斜面に沿って収納されているように構成される。
【００２９】
本発明の製品箱の好ましい態様として、収納される個包装箱の長手方向が、外装箱の前面板から後面板に向かう方向と同一であるように構成される。
【００３０】
本発明の製品箱の好ましい態様として、複数の個包装箱が、外装箱の一方の側部から他方の側部へと順次並べられた状態で収納されるように構成される。
【発明の効果】
【００３１】
本発明は、個包装箱を収納するための外装箱であって、該外装箱は、前面板の一部が高さ方向に切り取られて前面に開口部を形成することが可能となる前面開口片を有し、当該開口部から個包装箱の出し入れが可能となっており、上面板の一部が後面板に向けて切り取られて開口部を形成することが可能になる上面開口片を有し、上面板の一部を後面板に向けて開口部を形成するに際して、個包装箱の後面あるいは後面に相当する傾斜面が露出するまで開口可能になっており、個包装の後面あるいは後面に相当する傾斜面を把持して個包装を前面板に形成された開口部からスライド移動させて取り出し可能となるように構成されている。
【００３２】
このような構成ゆえに、所定の前面開口および上面開口等の開梱操作をした後、露出した個包装箱の後面あるいは傾斜する面を手に掛けて後方から前方に個包装箱をスライド移動させることにより、極めて容易に個包装箱を取り出すことができ、従来の問題は解消できる。
【図面の簡単な説明】
【００３３】
【図１】図１は、本発明の第１の実施形態における外装箱の展開図の一例を示したものである。
【図２】図２は、本発明の第１の実施形態における外装箱を正面斜めから見た概略斜視図である。
【図３】図３は、本発明の第１の実施形態における外装箱の開梱に際し、上面開口片および前面開口片を空けた状態を示す概略斜視図である。
【図４】図４は、本発明の第１の実施形態における外装箱の開梱に際し、上面開口片および前面開口片を空けた後に、内部に収納されている個包装箱を手前にスライド移動させて取り出す状態を示す概略斜視図である。
【図５】図５は、本発明の第１の実施形態における外装箱による梱包対象の一例である個包装箱の概略斜視図である。
【図６】図６は、本発明の第２の実施形態における外装箱の展開図の一例を示したものである。
【図７】図７は、本発明の第２の実施形態における外装箱を正面斜めから見た概略斜視図である。
【図８】図８は、本発明の第２の実施形態における外装箱の開梱に際し、上面開口片および前面開口片を空けた状態を示す概略斜視図である。
【図９】図９は、本発明の第２の実施形態における外装箱の開梱に際し、上面開口片および前面開口片を空けた後に、内部に収納されている個包装箱を手前にスライド移動させて取り出す状態を示す概略斜視図である。
【発明を実施するための形態】
【００３４】
以下、本発明の実施の形態について、詳細に説明する。
【００３５】
本発明は、個包装箱を収納するための外装箱に関するものであり、この外装箱は、前面板の一部が高さ方向に切り取られて前面に開口部を形成することが可能となる前面開口片を有している。そして、この開口部から個包装箱の出し入れが可能となっている。
【００３６】
さらに本発明においては、上面板の一部が後面板に向けて切り取られて開口部を形成することが可能になる上面開口片を有している。そして、上面板の一部を後面板に向けて開口部を形成するに際して、個包装箱の後面あるいは後面に相当する傾斜面が露出するまで開口可能になっている。このような構成を備えることにより、開口により露出した個包装の後面あるいは後面に相当する傾斜面を把持して個包装を前面板に形成された開口部からスライド移動させて取り出すことが可能となる。
【００３７】
このような本願発明の外装箱のより具体的な構成は、内部に収納される個包装箱形態に合せて、要部以外の仕様が若干異なる。それゆえ、本発明においては、傾斜する面を箱形態の一部として備える個包装箱を収納するために用いられる外装箱の構成を第１の実施形態とし、それ以外の個包装箱形態、例えば、直方体形態の個包装箱を収納するために用いられる外装箱の構成を第２の実施形態とし、これらを分けて以下に説明する。
【００３８】
〔本発明の第１の実施形態の説明〕
本発明の第１の実施形態の外装箱は、傾斜する面を箱形態の一部として備える個包装箱を収納するために用いられる外装箱である。本発明の外装箱の具体的実施の形態の一例について説明する前に、本発明の外装箱による梱包対象の一例である個包装箱の概略の形態について、図５を参照しつつ簡単に説明しておく。ただし、本発明において、個包装箱の形態は図５に示される形態に限定されることはない。
【００３９】
図５は、本発明の外装箱による梱包対象の一例である個包装箱５００の概略斜視図であり、この個包装箱５００は、傾斜する面５０３を箱形態の一部として備えている。傾斜する面５０３は箱を前方に傾け易くし、注ぎ残しを低減させるために設けられている。
【００４０】
図５に示される個包装箱５００は、後述する図３や図４に示される収納状態からわかるように、本発明の外装箱の中に収納されるに際し、図５の図面で描かれている箱体の上下面をひっくり返した状態で、なおかつ、傾斜する面５０３が外装箱の後部の奥側上部に位置するように収納される。すなわち、外装箱内に収納されて載置される下面が符号５０４で示される面となり、上面が符号５０２で示される面となる。外装箱内に収納される前面が符号５０１で示される面となり、後面が符号５０５で示される面となる。
【００４１】
このような個包装箱５００を複数個収納するための本発明の第１の実施形態の外装箱１について、図１〜図４を参照しつつ説明する。
【００４２】
図１は、本発明の外装箱１を展開した図面の一例としての平面図であり、図２は、図１の展開された、例えば、オリジナル段ボールを外装箱として組み立てた概略斜視図である。図３は、本発明の外装箱の開梱に際し、上面開口片および前面開口片を空けた状態を示す概略斜視図である。図４は、本発明の外装箱の開梱に際し、上面開口片および前面開口片を空けた後に、内部に収納されている個包装箱を手前にスライド移動させて取り出す状態を示す概略斜視図である。
【００４３】
本発明の外装箱１の形態および構造は、図１に示される展開図および図２の概略組み立て完了図、並びに図３および図４に示される開梱操作説明図から理解することができる。なお、図２におけるカット線は、紙面の大きさの関係で点線で簡略的に記載してあるが、図１のカット線（Ｌ字の集合体でライン化されたカット線）と同じものである。
【００４４】
本発明の外装箱１は、図１に示されるように、前面板１１、底面板２５、後面板１５、連結板６、上面板２１および前面被着片７０が連結された帯状の胴部と、帯状の胴部を組み立てた際に側方に位置する一方の側部蓋を形成するための一対の側部蓋用内フラップ３１、３５および側部蓋用外フラップ４１、４５、ならびに他方の側部蓋を形成するための一対の側部蓋用内フラップ３２、３６および側部蓋用外フラップ４２、４６とを備えている。
【００４５】
図１に示されるように、本発明の外装箱１は、後面板１５の高さ（図１における図面の左右方向が該当する）を、前面板１１の高さよりも低くして、後面板１５と上面板２１との間に連結板６を介在させ、組立後の連結板６が傾斜面を形成するように構成されている。この傾斜面の勾配の程度および大きさ等は、収納される個包装箱の傾斜する面（図５：符号５０３）に合せて設計するようにすればよい。
【００４６】
本発明の外装箱１における前面板１１は、図１や図２に示されるように、前面板１１の上端部（図１の符号１１ａ）から底面板２５と連結される下端部１１１の位置に至るまで引裂き可能な前面開口片１２が形成される。本発明でいう『引裂き可能な』という文言は、ミシン目等のカット線により、切り口が案内されている場合において、この案内されるカット線に沿って、手で切り裂くことが可能なことを意味する。つまり、引裂き可能な前面開口片１２は、引き裂き前、その形態がミシン目のカット線やＬ字の集合体でライン化されたカット線などによって形取られている。
【００４７】
本実施形態では、前面開口片１２を形成するために、図１や図２に示されるように、カット線１２ａ、１２ｂが所定の間隔を空けて略平行となるように形成されている。換言すれば、一定の幅間隔を空けた高さ方向の上下に延びる２本のカット線１２ａ、１２ｂで形取られている。カット線１２ａ、１２ｂとの間隔により、個包装箱を取り出す開口部の幅が規定され、前面開口片１２の大きさ（幅）は、個包装箱を引き摺り出すに十分な開口部を形成できる大きさとされる。そのため、取り出し対象となる個包装箱の幅や収納個数等を考慮してカット線１２ａ、１２ｂとの間隔が定められる。
【００４８】
本実施形態では、図３や図４に示されるように、４個の個包装箱５００が外装箱一方の側部から他方の側部へと順次並べられた状態で収納されており、収納される個包装箱５００の長手方向が、外装箱の前面板１１から後面板１５に向かう方向と同一とされている。
【００４９】
この実施例では、偶数個（４個）の個包装箱５００が収納されており、前面開口片１２が形成される位置を前面板１１の略中央に配置しようとしているために、開口幅は、２個分の個包装箱５００の幅と同等程度に設定されている。
【００５０】
この一方で、奇数個の個包装箱５００を収納する場合には、開口幅を１個分の個包装箱の幅と同等程度にすることもできる。また、前面開口片１２を前面板１１の略中央に配置する必要性がないのであれば、偶数個の個包装箱が収納されている場合であっても、開口幅を１個分の個包装箱の幅と同等程度にすることもできる。
【００５１】
なお、図３に示されるように、前面板１１の部分であって符号１３および１４で示される部材は、前面開口片１２を引き裂き後の残余の紙部分であり、これらはそのまま立設し、箱形態の一部を形成している。
【００５２】
図３に示される引き裂き後の前面開口片１２は、前面板１１と底面板２５との接合線１１１を基線として、揺動できるとともに開口部を開閉可能とすることができるようになっている。そして、引き裂き後の前面開口片１２は、開口した状態で前面開口片１２が底面板２５と同じ高さレベルとなるように敷設された状態にすることができる（図３参照）。こうすることにより、内部に収納されている個包装箱５００を手前（前面開口片１２を開口した方向）にスライド移動させて取り出すことができる。
【００５３】
図１および図２に示されるように、前面被着片７０は、上面板２１に連接されるとともに、組立後は前面板１１の上部を幅方向（図２のＸ方向）に亘り覆うように被着形成されている。通常は糊付けされている。
【００５４】
このような前面被着片７０は、中央に位置する引き裂き開始片７２と、その両端にそれぞれ位置する残存片７１、７３を有し構成されている。引き裂き開始片７２と残存片７１、７３と切り離しが容易となるように、それらの境目には、切れ込み線（ミシン目等のカット線）やスリットを形成しておくことが望ましい。さらに、引き裂きの開始が容易となるように端部に切欠き７２ａを設けることが望ましい（図１参照）。また、引き裂き開始片７２の幅は、前述した前面開口片１２の幅と同程度、あるいはそれ以上の大きさとすることが望ましい。
【００５５】
図１や図２に示されるごとく、上面板２１には、前面被着片７０の一部である引き裂き開始片７２に連接される上面板２１の前部端部（２箇所存在し、符号Ｐで示される）から上面板２１の後部の両サイド（２箇所存在し、符号Ｓで示される）に至るまで引き裂き可能な上面開口片２２が形成されるようになっている。
【００５６】
このような引裂き可能な上面開口片２２は、引き裂き前、その形態がミシン目のカット線やＬ字の集合体でライン化されたカット線２２ａ、２２ｂ、２２ｃ、２２ｄによって形取られている。
【００５７】
本実施の形態において、前面開口片２２の形態を形取るカット線は、図１に示されるように引き裂き開始片７２の幅方向（図２のＸ方向）の両端部Ｐから、それぞれ、上面板２１と外フラップ４１、４２との接合線１０１、１０２へと向かって進み（カット線２２ａ、２２ｂ）、接合線１０１、１０２に到達した後には、接合線１０１、１０２に沿って進むように形成されている（カット線２２ｃ、２２ｄ）。
【００５８】
組立後に傾斜面を形成する連結板６の両サイド６ａ、６ｂは、図１に示されるように切断端となっており、開梱に際し、上面開口片２２を上面板２１の後部の両サイドＳに至るまで引き裂くと、引き裂かれた上面開口片２２と連結板６との一体化物が、連結板６と後面板１５との接合線１３１を基線として、揺動できるとともに開閉可能に構成されている。
【００５９】
このように可動可能な上面開口片２２と連結板６との一体化物が、接合線１３１を基線として、後方へ捲られると、内部に収納されていた個包装箱の傾斜する面（例えば、図５：符号５０３）が露出する状態となる（図３参照）。本発明では、この露出した傾斜面５０３を手で≡みながら個包装箱５００を手前（前面開口片１２を開口した方向）にスライド移動させて取り出すことができるので、個包装箱の取り出し操作は極めて容易となる（図４参照）。
【００６０】
図１を参照しつつ内フラップについて、さらに詳述すると、側部蓋用内フラップは、前面板１１の両サイドに接合線６１、６２を介して連接される前面板連接内フラップ３１、３２と、後面板１５の両サイドに接合線８１、８２を介して連接される後面板連接内フラップ３５、３６とから構成される。前面板連接内フラップ３１、３２は通常の略四角形状であるが、後面板連接内フラップ３５、３６の一方の上端３５ａ、３６ａは、それぞれ、図示のごとくコーナーカットされており、コーナーカットの上端（３５ａ、３６ａ）に、傾斜面を構成する連結板６の両サイド６ａ、６ｂ近傍の面がそれぞれ覆うように被せられて箱の形成がなされる。このことは、図１に示される展開図を実際に外装箱として組み立てれば明瞭となるであろう。
【００６１】
＜本発明の第１の実施形態の外装箱１を開梱して個包装箱５００を取り出す操作手法についての説明＞
本発明の外装箱の作用、すなわち、本発明の外装箱を開梱して個包装箱５００を取り出す操作手法の一連の流れを、以下、まとめて説明する。
【００６２】
図３に示されるように、前面被着片７０の一部である引き裂き開始片７２を持って、上方に引き上げると、これに連なる上面開口片２２が徐々に引き裂かれる。すなわち、上面開口片２２は、図１に示されるごとく引き裂き開始片７２の幅方向（図２のＸ方向）の両端部Ｐから、それぞれ、上面板２１と外フラップ４１、４２との接合線１０１、１０２へと向かって進み、接合線１０１、１０２に到達した後には、接合線１０１、１０２に沿って進む。上面板２１の後部の両サイドＳに至るまで引き裂かれると、連結板６の両サイド６ａ、６ｂは、切断端となっているため、引き裂かれた上面開口片２２と連結板６との一体化物を、連結板６と後面板１５との接合線１３１を基線として、揺動させることができる。
【００６３】
次いで、前面開口片１２の引裂き操作を行い、前面板１１に開口部を設ける。すなわち、前面開口片１２の上端部に手を掛けて、当該上端部から底面板２５と連結される下端部１１１の位置に至るまで引き裂く。引き裂き後の前面開口片１２は、開口した状態で前面開口片１２が底面板２５と同じ高さレベルとなるように敷設された状態とされる（図３参照）。
しかる後、図４に示されるごとく、個包装箱５００の後方上部に露出した傾斜面５０３を手で≡みながら個包装箱５００を手前（前面開口片１２を開口した方向）にスライド移動させて取り出す。
【００６４】
このように本願発明では、露出した個包装箱の傾斜する面を手に掛けて後方から前方に個包装箱をスライド移動させる操作ができるので、極めて容易に個包装箱を取り出すことができ、従来の問題は全て解消できる。
【００６５】
〔本発明の第２の実施形態の説明〕
本発明の第２の実施形態の外装箱は、例えば、直方体形態の個包装箱を収納するために用いられる外装箱である。
【００６６】
本発明の第２の実施形態の外装箱による梱包対象の一例である個包装箱の概略の形態については、前述した図５において傾斜部が存在しない直方体形態を想起すればよく、このような直方体形態の個包装箱を符号６００と記す。
【００６７】
このような個包装箱６００を複数個収納するための本発明の第２の実施形態の外装箱１について、図６〜図９を参照しつつ説明する。
【００６８】
図６は、本発明の第２の実施形態の外装箱２を展開した図面の一例としての平面図であり、図７は、図６の展開された、例えば、オリジナル段ボールを外装箱として組み立てた概略斜視図である。図８は、本発明の外装箱の開梱に際し、上面開口片および前面開口片を空けた状態を示す概略斜視図である。図９は、本発明の外装箱の開梱に際し、上面開口片および前面開口片を空けた後に、内部に収納されている個包装箱を手前にスライド移動させて取り出す状態を示す概略斜視図である。
【００６９】
本発明の外装箱２の形態および構造は、図６に示される展開図および図７の概略組み立て完了図、並びに図８および図９に示される開梱操作説明図から理解することができる。なお、図７におけるカット線は、紙面の大きさの関係で点線で簡略的に記載してあるが、図６のカット線（Ｌ字の集合体でライン化されたカット線）と同じものである。
【００７０】
本発明の外装箱２は、図６に示されるように、前面板１１、底面板２５、後面板１５、上面板２１および前面被着片７０が連結された帯状の胴部と、帯状の胴部を組み立てた際に側方に位置する一方の側部蓋を形成するための一対の側部蓋用内フラップ３１、３５および側部蓋用外フラップ４１、４５、ならびに他方の側部蓋を形成するための一対の側部蓋用内フラップ３２、３６および側部蓋用外フラップ４２、４６とを備えている。
【００７１】
本発明の外装箱２における前面板１１は、図６や図７に示されるように、前面板１１の上端部（図１の符号１１ａ）から底面板２５と連結される下端部１１１の位置に至るまで引裂き可能な前面開口片１２が形成される。本発明でいう『引裂き可能な』という文言は、ミシン目等のカット線により、切り口が案内されている場合において、この案内されるカット線に沿って、手で切り裂くことが可能なことを意味する。つまり、引裂き可能な前面開口片１２は、引き裂き前、その形態がミシン目のカット線やＬ字の集合体でライン化されたカット線などによって形取られている。
【００７２】
本実施形態では、前面開口片１２を形成するために、図６や図７に示されるように、カット線１２ａ、１２ｂが所定の間隔を空けて略平行となるように形成されている。換言すれば、一定の幅間隔を空けた高さ方向の上下に延びる２本のカット線１２ａ、１２ｂで形取られている。カット線１２ａ、１２ｂとの間隔により、個包装箱を取り出す開口部の幅が規定され、前面開口片１２の大きさ（幅）は、個包装箱を引き摺り出すに十分な開口部を形成できる大きさとされる。そのため、取り出し対象となる個包装箱の幅や収納個数等を考慮してカット線１２ａ、１２ｂとの間隔が定められる。
【００７３】
本実施形態では、図８や図９に示されるように、４個の個包装箱６００が外装箱一方の側部から他方の側部へと順次並べられた状態で収納されており、収納される個包装箱６００の長手方向が、外装箱の前面板１１から後面板１５に向かう方向と同一とされている。
【００７４】
この実施例では、偶数個（４個）の個包装箱６００が収納されており、前面開口片１２が形成される位置を前面板１１の略中央に配置しようとしているために、開口幅は、２個分の個包装箱６００の幅と同等程度に設定されている。
【００７５】
この一方で、奇数個の個包装箱６００を収納する場合には、開口幅を１個分の個包装箱の幅と同等程度にすることもできる。また、前面開口片１２を前面板１１の略中央に配置する必要性がないのであれば、偶数個の個包装箱が収納されている場合であっても、開口幅を１個分の個包装箱の幅と同等程度にすることもできる。
【００７６】
なお、図８に示されるように、前面板１１の部分であって符号１３および１４で示される部材は、前面開口片１２を引き裂き後の残余の紙部分であり、これらはそのまま立設し、箱形態の一部を形成している。
【００７７】
図８に示される引き裂き後の前面開口片１２は、前面板１１と底面板２５との接合線１１１を基線として、揺動できるとともに開口部を開閉可能とすることができるようになっている。そして、引き裂き後の前面開口片１２は、開口した状態で前面開口片１２が底面板２５と同じ高さレベルとなるように敷設された状態にすることができる（図８参照）。こうすることにより、内部に収納されている個包装箱６００を手前（前面開口片１２を開口した方向）にスライド移動させて取り出すことができる。
【００７８】
図６および図７に示されるように、前面被着片７０は、上面板２１に連接されるとともに、組立後は前面板１１の上部を幅方向（図７のＸ方向）に亘り覆うように被着形成されている。通常は糊付けされている。
【００７９】
このような前面被着片７０は、中央に位置する引き裂き開始片７２と、その両端にそれぞれ位置する残存片７１、７３を有し構成されている。引き裂き開始片７２と残存片７１、７３と切り離しが容易となるように、それらの境目には、切れ込み線（ミシン目等のカット線）やスリットを形成しておくことが望ましい。さらに、引き裂きの開始が容易となるように端部に切欠き７２ａを設けることが望ましい（図６参照）。また、引き裂き開始片７２の幅は、前述した前面開口片１２の幅と同程度、あるいはそれ以上の大きさとすることが望ましい。
【００８０】
図６や図７に示されるごとく、上面板２１には、前面被着片７０の一部である引き裂き開始片７２に連接される上面板２１の前部端部（２箇所存在し、符号Ｐで示される）から上面板２１の後部の両サイド（２箇所存在し、符号Ｓで示される）に至るまで引き裂き可能な上面開口片２２が形成されるようになっている。
【００８１】
このような引裂き可能な上面開口片２２は、引き裂き前、その形態がミシン目のカット線やＬ字の集合体でライン化されたカット線２２ａ、２２ｂ、２２ｃ、２２ｄによって形取られている。
【００８２】
本実施の形態において、前面開口片２２の形態を形取るカット線は、図６に示されるように引き裂き開始片７２の幅方向（図７のＸ方向）の両端部Ｐから、それぞれ、上面板２１と外フラップ４１、４２との接合線１０１、１０２へと向かって進み（カット線２２ａ、２２ｂ）、接合線１０１、１０２に到達した後には、接合線１０１、１０２に沿って進むように形成されている（カット線２２ｃ、２２ｄ）。
【００８３】
図６に示されるように、本発明の外装箱２における後面板１５は、前記上面開口片２２に連接して後面板１５の両サイドに沿ってその上部が引き裂き可能となる後面開口片１６が形成できるようになっており、前記上面開口片２２を上面板２１の後部の両サイド（Ｓ）に至るまで引き裂き、さらに、連接した状態で後面開口片１６を符号Ｑの位置まで引き裂く（カット線１６ａ，１６ｂに沿う）と、引き裂かれた上面開口片２２と後面開口片１６との一体化物が、後面板１５の後面開口片の終点（符号Ｑ）で結ばれた後面板の折り線１６ｃを基線として、揺動できるとともに開閉可能になっている
【００８４】
このように可動可能な上面開口片２２と後面開口片１６との一体化物が、接合線１６ｃを基線として、後方へ捲られると、内部に収納されていた個包装箱６００の後ろ面の上面（例えば、図９：符号６０３）が露出する状態となる。本発明では、この露出した後ろ面の上面６０３を手で≡みながら個包装箱６００を手前（前面開口片１２を開口した方向）にスライド移動させて取り出すことができるので、個包装箱の取り出し操作は極めて容易となる（図９参照）。
【００８５】
＜本発明の第２の実施形態の外装箱２を開梱して個包装箱６００を取り出す操作手法についての説明＞
本発明の外装箱２の作用、すなわち、本発明の外装箱２を開梱して個包装箱６００を取り出す操作手法の一連の流れを、以下、まとめて説明する。
【００８６】
図８に示されるように、前面被着片７０の一部である引き裂き開始片７２を持って、上方に引き上げると、これに連なる上面開口片２２が徐々に引き裂かれる。すなわち、上面開口片２２は、図６に示されるごとく引き裂き開始片７２の幅方向（図７のＸ方向）の両端部Ｐから、それぞれ、上面板２１と外フラップ４１、４２との接合線１０１、１０２へと向かって進み、接合線１０１、１０２に到達した後には、接合線１０１、１０２に沿って進む。上面板２１の後部の両サイドＳに至るまで引き裂き、さらに連接した状態で後面開口片１６を符号Ｑの位置まで引き裂く（カット線１６ａ，１６ｂに沿う）。引き裂かれた上面開口片２２と後面開口片１６との一体化物は、後面板１５の後面開口片の終点（符号Ｑ）で結ばれた後面板の折り線１６ｃを基線として、揺動させることができる。
【００８７】
次いで、前面開口片１２の引裂き操作を行い、前面板１１に開口部を設ける。すなわち、前面開口片１２の上端部に手を掛けて、当該上端部から底面板２５と連結される下端部１１１の位置に至るまで引き裂く。引き裂き後の前面開口片１２は、開口した状態で前面開口片１２が底面板２５と同じ高さレベルとなるように敷設された状態とされる（図８参照）。
しかる後、図９に示されるごとく、個包装箱６００の後ろ面の上面６０３を手で≡みながら個包装箱６００を手前（前面開口片１２を開口した方向）にスライド移動させて取り出す。
【００８８】
このように本願発明では、露出した個包装箱６００の後ろ面の上面６０３を手に掛けて後方から前方に個包装箱をスライド移動させる操作ができるので、極めて容易に個包装箱を取り出すことができ、従来の問題は全て解消できる。
【符号の説明】
【００８９】
１…外装箱
６…連結板
１１…前面板
１２…前面開口片
１５…後面板
１６…後面開口片
２１…上面板
２２…上面開口片
２５…底面板
３１、３２、３５、３６…内フラップ
４１、４２、４５、４６…外フラップ
７０…前面被着片
５００…個包装箱
６００…個包装箱
【図１】
0005487517.tif 000002
【図２】
0005487517.tif 000003
【図３】
0005487517.tif 000004
【図４】
0005487517.tif 000005
【図５】
0005487517.tif 000006
【図６】
0005487517.tif 000007
【図７】
0005487517.tif 000008
【図８】
0005487517.tif 000009
【図９】
0005487517.tif 000010